(57)【要約】【課題】長時間利用後も柔らかな芳香を途絶えることなく発生させる芳香発生装置を提供することを目的とする。【解決手段】本芳香発生装置は、多孔質材料にて形成され、芳香性の燃焼性液体を浸透吸引する本体部１１及びこの本体部１１の外周端部に加熱触媒の触媒金属１２ａを含む加熱部１２からなる芳香発生部１と、この本体部１１の上面部１１ａを蓋状に覆う多孔質性の蓋体で、この芳香発生部１の対向に形成される芳香拡散部２１及び外周端部に加熱触媒の触媒金属２２ａを含んで形成されてこの加熱部１２に接触して固定される補助加熱部２２からなる分離燃焼体２とを備える構成であり、長時間利用後も柔らかな芳香を途絶えることなく発生させる。【選択図】    図１
2010038371.tif 000002
【特許請求の範囲】
【請求項１】
多孔質材料にて形成され、芳香性を有する燃焼性液体を浸透吸引する本体部と、当該本体部の外周端部に金属を加熱触媒として含ませて形成される加熱部を備え、前記本体部で吸引された燃焼性液体を前記加熱部の加熱により気化させる芳香発生装置において、
前記本体部の上面を閉蓋する多孔質材料からなる蓋体で構成され、当該蓋体の外周端部に金属を加熱触媒として含ませて補助加熱部が形成され、当該補助加熱部を前記加熱部に接触させて配設される分離燃焼体を備えることを
特徴とする芳香発生装置。
【請求項２】
請求項１に記載の芳香発生装置において、
前記加熱部及び／又は前記補助加熱部が、各接触面の一方又は双方を凹凸形状に形成して構成することを
特徴とする芳香発生装置。
【請求項３】
請求項１又は請求項２に記載の芳香発生装置において、
前記本体部が、燃焼性液体側から上面まで連通する連通孔を有することを
特徴とする芳香発生装置。
【発明の詳細な説明】
【技術分野】
【０００１】
本発明は、多孔質材料からなり触媒燃焼により芳香を発生させる芳香発生装置に関し、特に長時間利用後も適度な強さの芳香を継続して発生させる芳香発生装置に関する。
【背景技術】
【０００２】
背景技術となる芳香発生装置は、特開２００２−５１７６９９号公報（第１の背景技術）、特開２００５−１６９２５号公報（第２の背景技術）に開示されるものがある。この各背景技術を図７及び図８に従来の芳香発生装置の概略構成断面図として示す。
【０００３】
図７における、この第１の背景技術に係る芳香発生装置としての、触媒燃焼バーナ及びそれを備えたフラスコは、多孔性材料により形成される触媒燃焼バーナ１０３であって、可燃液体をこの触媒燃焼バーナ１０３へ運ぶように設計された芯を受容する実質的に軸状のキャビティ１０６を下部１０３ａに備え、触媒を収納するとともに触媒の無い中央ゾーン１４０を包囲し、気化ゾーンを形成する環状の外周ゾーン１０７を上部１０３ｂに備え、キャビティ１０６の上部１２４を外気に連通させる開口１０８を上部１０３ｂに備える構成である。
【０００４】
また、図８における、この第２の背景技術に係る芳香発生装置としての、多孔性物質からなる触媒燃焼バーナー（ｃａｔａｌｙｔｉｃｃｏｍｂｕｓｔｉｏｎｂｕｒｎｅｒ）および該触媒燃焼バーナーが取り付けられた触媒燃焼フラスコ（ｃａｔａｌｙｔｉｃｃｏｍｂｕｓｔｉｏｎｆｌａｓｋ）は、多孔性物質からなり上方に開くテーパーが付いている触媒燃焼バーナー２１３であって、前記多孔性物質の細孔に浸入する燃焼性組成物をこの触媒燃焼バーナー２１３に搬送する燃焼器具用芯２０５と連携し、触媒２０７を担持し、この触媒燃焼バーナー２１３の上部２１３ｂにおいて気化領域を形成する触媒を含まない中央領域２１８を周縁領域２１６により取り囲まれて構成される。
【特許文献１】特開２００２−５１７６９９号公報
【特許文献２】特開２００５−１６９２５号公報
【発明の開示】
【発明が解決しようとする課題】
【０００５】
前記第１の背景技術に係る芳香発生装置は、以上のように構成されていたことから、芳香を愉しむ目的で内部の可燃液体１０２に芳香性が含まれていることから、利用時間が長くなるにつれて触媒燃焼バーナ１０３の上部１０３ｂに芳香成分の蓄積が進み、芳香成分による目詰まりを起こして可燃液体１０２の浸透が途絶え、外周ゾーン１０７に収納された触媒の保温能力の消失により消火状態となり、この可燃液体１０２の芳香成分が加熱により気化されなくなり、キャビティ１０６からの自然気化による芳香のみを発生させるに止まり、この可燃液体１０２の芳香成分の加熱による十分な芳香が得られないという課題を有する。
【０００６】
また、前記第２の背景技術に係る芳香発生装置は、以上のように構成されていたことから、芳香を愉しむ目的で燃焼性組成物に芳香性が含まれていることから、利用時間が長くなるにつれて中央領域２１８に芳香成分の蓄積が進み、芳香成分による目詰まりにより燃焼性組成物の浸透が途絶え、触媒２０７の保温能力の消失により消火状態となり、燃焼性組成物の芳香成分が気化されなくなり、芳香を愉しむことができなくなるという課題を有する。
【０００７】
本発明は前記課題を解消するためになされたもので、長時間利用後も芳香を途絶えることなく発生し続け、さらに柔らかな芳香を発生させる芳香発生装置を提供することを目的とする。
【課題を解決するための手段】
【０００８】
本発明に係る芳香発生装置は、多孔質材料にて形成され、芳香性を有する燃焼性液体を浸透吸引する本体部と、当該本体部の外周端部に金属を加熱触媒として含ませて形成される加熱部を備え、前記本体部で吸引された燃焼性液体を前記加熱部の加熱により気化させる芳香発生装置において、前記本体部の上面を閉蓋する多孔質材料からなる蓋体で構成され、当該蓋体の外周端部に金属を加熱触媒として含ませて補助加熱部が形成され、当該補助加熱部を前記加熱部に接触させて配設される分離燃焼体を備えるものである。
【０００９】
このように本発明によれば、多孔質材料にて形成され、芳香性の燃焼性液体を浸透吸引する本体部の外周端部に金属を加熱触媒として含ませて形成される加熱部の加熱により、前記本体部で吸引された燃焼性液体を気化させる芳香発生装置において、前記本体部の上面を閉蓋する多孔質材料からなる蓋体の外周端部に金属を加熱触媒として含ませて補助加熱部が形成され、当該補助加熱部を前記加熱部に接触させて配設される分離燃焼体を備えることから、前記本体部に芳香成分の蓄積により目詰まりを生じた場合でも、少なくとも前記補助加熱部の保温能力を維持することとなり、前記補助加熱部の加熱により芳香を継続して発生させることができる。また、前記補助加熱部及び前記加熱部の接触状態によっては、前記補助加熱部の保温能力が十分な場合には前記補助加熱部から前記加熱部に保温能力を伝播することができ、前記補助加熱部及び前記加熱部の加熱により一層多くの芳香を発生させることができる。さらに、気化した燃焼性液体を前記分離燃焼体の閉蓋により形成される空間内部で緩やかに加熱することとなり、柔らかな芳香を発生させることができる。
【００１０】
また、本発明に係る芳香発生装置は必要に応じて、前記加熱部及び／又は前記補助加熱部が、各接触面の一方又は双方を凹凸形状に形成して構成するものである。このように本発明によれば、前記加熱部及び／又は前記補助加熱部が、各接触面の一方又は双方を凹凸形状に形成して構成することから、前記加熱部及び前記補助加熱部の接触面を極力小さく抑えられるために芳香成分の前記加熱部から前記補助加熱部への直接移動を抑止することとなり、前記本体部に芳香成分の蓄積により目詰まりを生じた場合でも、より確実に前記補助加熱部の保温能力を維持して熾火状態を継続することができる。また、前記加熱部及び前記補助加熱部の接触面で形成される外部と連通する連通孔の外部と接する面積を全方向に渡り確保することとなり、芳香をより安定的に発生させることができる。
【００１１】
また、本発明に係る芳香発生装置は必要に応じて、前記本体部が、燃焼性液体側から上面まで連通する連通孔を有するものである。このように本発明によれば、前記本体部が、燃焼性液体側から上面まで連通する連通孔を有するために、芳香成分を有する状態で気化した燃焼性液体を前記本体部の上面に供給することとなり、前記加熱部及び前記補助加熱部の加熱により安定的に芳香を発生させることができる。また、前記本体部に芳香成分の蓄積により目詰まりを生じた場合でも、この連通孔を通過する気化した燃焼性液体により、前記補助加熱部がこの燃焼性液体に常に接触することとなり、前記補助加熱部が消火状態とならずに熾火状態を維持することができる。
【発明を実施するための最良の形態】
【００１２】
（本発明の第１の実施形態）
以下、本発明の第１の実施形態に係る芳香発生装置を、図１から図４に基づいて説明する。この図１は本発明の第１の実施形態に係る芳香発生装置の概略構成図、図２は図１記載の芳香発生装置を装着したアロマディフューザーの全体断面図、図３は図１記載の芳香発生装置の長時間利用による目詰まり状態を示す説明図、図４は図１記載の芳香発生装置の固定例を示す概略図を示す。
【００１３】
図１において、本発明の第１の実施形態に係る芳香発生装置は、多孔質材料から形成され、芳香性を有する燃焼性液体を浸透吸引し、加熱触媒の加熱により芳香を発生させる芳香発生部１と、多孔質材料から形成され、この芳香発生部１の上面に対して蓋状に覆い被せる形状で、加熱触媒を含む外周端部をこの芳香発生部１の加熱触媒に接触して設置される分離燃焼体２を備える構成である。
【００１４】
また、前記芳香発生部１は、多孔質材料にて形成され、芳香性を有する燃焼性液体を浸透吸引する本体部１１と、この本体部１１の外周端部に触媒金属１２ａを加熱触媒として含ませて形成される加熱部１２から構成される。
【００１５】
また、前記分離燃焼体２は、前記本体部１１の上面部１１ａを閉蓋する多孔質材料からなる蓋体で構成され、この蓋体の中央部に芳香発生部１に対向してこの上面部１１ａを閉塞する芳香拡散部２１が形成され、この蓋体の外周端部に触媒金属２２ａを加熱触媒として含ませて補助加熱部２２が形成され、この補助加熱部２２を前記加熱部１２に接触して設置される構成である。
【００１６】
また、前記芳香発生部１及び前記分離燃焼体２は、素材となる多孔質材料としてセラミック製の成形体を使用することができる。また、前記触媒金属１２ａ及び前記触媒２２ａは、例えば元素周期律表VIII族の金属をベースに作製することができ、例えば白金（
Ｐｔ）を使用することができる。
【００１７】
また、本芳香発生装置は、図２に示すように、芳香性のある燃焼性液体４３が収納される容器４１の開口部４２に装着される。また、前記本体部１１は、この容器４１の底面側へ垂下する芯体３１の一部を包囲して収容するための空間として空洞１３を備える。また、前記燃焼性液体４３は、イソプロピルアルコール等のアルコール類に精油（エッセンシャルオイル）を含ませて作成することができる。また、本芳香発生装置は、前記芳香発生部１及び前記分離燃焼体２を備えて燃焼させることから、従来の芳香発生装置では立ち消えして使用できなかったエタノールの燃焼を可能とし、エタノールを前記アルコール類として前記燃焼性液体４３に使用することもできる。
【００１８】
以下、前記構成に基づく本実施形態の具体的な芳香発生装置の使用方法について説明する。本芳香発生装置の利用者は、図１に示すように、まず、前記補助加熱部２２を前記加熱部１２に接触させて組み付けて前記芳香発生部１と前記分離燃焼体２を固定する。
【００１９】
この固定により前記芳香発生部１と前記分離燃焼体２との間に閉鎖空間Ａが生成される。この閉鎖空間Ａは、前記補助加熱部２２の外周端部２２ｂと前記加熱部１２の上面部１２ｂとの接触のみにより生成されるため、完全な密閉状態ではなく、前記補助加熱部２２と前記加熱部１２との間にこの閉鎖空間Ａと外部とを連通する連通孔Ｂを形成する。
【００２０】
前記本体部１１は、図２に示すように、前記芯体３１を装着して固定する。前記芯体３１は、例えば綿製で紐状に作製することができる。また、前記本体部１１は、初回使用時には前記燃焼性液体４３に前記芯体３１を少なくとも約２０分間浸すことにより、前記燃焼性液体４３を十分に浸潤することが望ましい。また、前記燃焼性液体４３にエタノールを使用する場合には、エタノールが化学的により安全性の高いアルコール類であることから、より安全に芳香を愉しむことができる。
【００２１】
利用者は、前記本体部１１に前記燃焼性液体４３を十分に浸潤させた後、前記加熱部１２をマッチ及びライター等で着火して２分程度経過した後に火を吹き消す。加熱触媒としての触媒金属１２ａは、この着火及び消火により触媒燃焼を開始する。
【００２２】
前記本体部１１に浸潤した前記燃焼性液体４３は、図１に示すように、この触媒燃焼により前記本体部１１から気化し、芳香成分を含んだ気体として矢印Ｃ１の方向で前記閉鎖空間Ａに放出される。また、この前記閉鎖空間Ａに放出された芳香成分をもつ気体は、前記閉鎖空間Ａにて前記加熱部１２及び前記補助加熱部２２により再度緩やかに加熱され、前記連通孔Ｂを通過する矢印Ｄの方向及び前記芳香拡散部２１を通過する矢印Ｅの方向で外部に放出される。この放出される気体は、前記閉鎖空間Ａにおけるこの緩やかな加熱により、柔らかな芳香を醸成されることとなり、一層快適な芳香を発することができる。また、本芳香発生装置は、前記芳香発生部１及び前記分離燃焼体２を備えて燃焼させることから、装置の内部及び外部ともに加熱される表面積が拡大し、さらに加熱温度も高まることとなり、芳香を多量に発生することができ、またこの芳香による消臭効果も向上させることができる。
【００２３】
また、前記補助加熱部２２は、図３に示すように、触媒燃焼の開始からの利用時間が長くなるにつれて前記本体部１１に芳香成分４３ａの蓄積による目詰まりを生じて矢印Ｆの方向に気化した燃焼性液体４３の流れが遮断される場合にも、矢印Ｇの方向に気化した燃焼性液体４３が供給され、この供給された燃焼性液体４３を触媒金属２２ａにより加熱することができる。前記補助加熱部２２は、この加熱により保温能力を維持して熾火状態を継続することができ、芳香を継続して発生させることができる。このように、本芳香発生装置は、前記目詰まりを防止することから、芳香の発生時間を従来に比べて向上させることとなり、半年から１年につき１回の装置交換を必要とする従来装置と比較してより数倍の使用期間を確保することができ、手間をかけずに長期間に渡り芳香を愉しむことができる。
【００２４】
また、前記補助加熱部２２は、保温能力が十分な場合には接触する前記加熱部１２に保温能力を伝播することができ、前記補助加熱部２２及び前記加熱部２１の加熱により一層多くの芳香を発生させることができる。前記加熱部１２は、この接触構造により、従来のように長時間利用による芳香成分４３ａが前記加熱部１２近傍の前記本体部１１における多孔質体に目詰まりを生じたとしても、保温能力を消失して前記触媒金属１２ａが消火状態となることを前記補助加熱部２２の保温能力により防止することとなり、長時間の利用においても継続して芳香を発生させることができる。
【００２５】
また、前記芳香拡散部２１は、多孔質性のため矢印Ｅの方向で芳香成分をもつ気体を通過させるが、この気体中の芳香成分が前記本体部１１で目詰まりを生じる液体分子より粒子径の小さい気体分子として存在することとなり、芳香成分の多孔質体への蓄積による目詰まりを防止することができる。
【００２６】
また、本芳香発生装置は、図４（ａ）に示すように、前記芳香発生部１に前記分離燃焼体２を重ね合わせるように係合させ、この係合状態で前記芳香発生部１及び前記芯体３１を連接して固定する金属製の固定金具５及び金属を針状に成型された針状金具６により固定することもできる。この針状金具６は、例えば金属針金により作成することもできる。
【００２７】
前記芳香発生部１及び前記分離燃焼体２は、同図（ｂ）に示すように、この針状金具６を前記芳香発生部１、前記分離燃焼体２及びこの固定金具５の外周側面に連続する凹状の固定溝１ａ、固定溝２ａ及び固定溝５ａに嵌め込んで固定することもできる。前記芳香発生部１及び前記分離燃焼体２は、この針状金具６を用いた固定により、接触による固定を補強することとなり、より安定的に固定することができる。
【００２８】
利用者は、本芳香発生装置の利用を終える場合には、消火用キャップとして例えば密閉された外蓋を本芳香発生装置に覆い被せることで、触媒燃焼の停止とともに芳香の発生を停止することもできる。また、本芳香発生装置は、前記触媒金属１２ａ及び前記触媒金属２２ａによる触媒燃焼中には３００度以上の高温となるために、安全性の観点から触媒燃焼中には例えば透かし編み形状の外蓋を覆い被せて使用されることが望ましい。
【００２９】
（本発明の第２の実施形態）
以下、本発明の第２の実施形態に係る芳香発生装置を、図５に基づいて説明する。
この図５は本発明の第２の実施形態に係る芳香発生装置の概略構成図を示す。
図５において、本発明の第２の実施形態に係る芳香発生装置は、前記第１の実施形態と同様に前記本体部１１及び前記加熱部１２から構成される前記芳香発生部１と、前記芳香拡散部２１及び前記補助加熱部２２から構成される前記分離燃焼体２を備え、さらに前記芳香発生部１に前記燃焼性液体４３側から前記上面部１１ａまで連通する連通孔１１ｂを追加で備える構成である。
【００３０】
以下、前記構成に基づく本実施形態の具体的な芳香発生装置の使用方法について説明する。本芳香発生装置は、前記第１の実施形態で記載した図２と同様に、芳香性のある燃焼性液体４３が収納される容器４１の開口部４２に装着され、加熱触媒としての触媒金属１２ａへの着火及び消火により触媒燃焼が開始され芳香が外気に放出される。
【００３１】
前記本体部１１に浸潤した前記燃焼性液体４３は、図５に示すように、この触媒燃焼により前記本体部１１から気化し、芳香成分を含んだ気体として前記第１の実施形態と同様に矢印Ｃ１の方向で前記閉鎖空間Ａに放出される。さらに本実施形態では、気化した前記燃焼性液体４３は、前記連通孔１１ｂを経由した印Ｃ２の方向でも前記閉鎖空間Ａに放出される。
【００３２】
前記燃焼性液体４３は、この矢印Ｃ２の方向の気化により、芳香成分を含んだ気体を前記閉鎖空間Ａに安定的に供給することとなり、前記補助加熱部２２により確実に芳香成分を加熱されることができる。また、前記補助加熱部２２は、この加熱により、接触接続された前記加熱部１２の保温能力も維持することができる。
【００３３】
また、利用者は、長時間利用の場合には、従来の前記芳香発生部１のみでは前記本体部１１の多孔質体への芳香成分の蓄積による目詰まりを生じて前記加熱部１２が消火状態となり、前記連通孔１１ｂからの自然気化した芳香しか得られないが、本実施形態では前記分離燃焼体２により形成される前記閉鎖空間Ａでの加熱により醸成された柔らかな芳香を得ることができる。
【００３４】
（本発明のその他の実施形態）
以下、本発明のその他の実施形態に係る芳香発生装置を、図６に基づいて説明する。この図６は本発明のその他の実施形態に係る芳香発生装置の補助加熱部と加熱部の接触固定の概略図を示す。
【００３５】
本発明のその他の実施形態に係る芳香発生装置は、前記第１又は第２の実施形態と同様に構成され、前記加熱部１２及び／又は前記補助加熱部２２が、各接触面である前記上面部１２ｂ及び前記外周端部２２ｂの一方又は双方を凹凸形状に形成して構成することもできる。
【００３６】
本実施形態において、前記上面部１２ｂは、図６（ａ）に示すように、前記上面部１２ｂに凹凸形状を有することができる。前記上面部１２ｂは、この凸部を前記外周端部２２ｂと接触させて固定することができる。この接触固定により形成される前記連通孔Ｂは、全方向に渡り安定的に形成されることとなり、外部へ安定的に芳香を発生させることができる。
【００３７】
また、前記補助加熱部２２は、同図（ｂ）に示すように、前記外周端部２２ｂに凹凸形状を有し、この凸部を前記上面部１２ｂに接触させて固定することもできる。前記連通孔Ｂは、この場合も同図（ａ）と同様に、この接触固定により全方向に渡り安定的に形成されることとなり、外部へ安定的に芳香を発生させることができる。
【００３８】
また、前記上面部１２ｂ及び前記外周端部２２ｂも共に、同図（ｃ）に示すように、凹凸形状を有し、この凸部を前記上面部１２ｂに接触させて固定することもできる。この接触固定により、前記連通孔Ｂは、外部の気体と接する面積を拡大することとなり、一層多くの芳香を外部へ発生させることができる。
【００３９】
また、本芳香発生装置は、ラベンダー、ティートリー、ローズマリー、イランイラン、ジャスミン、サンダルウッド、ローズウッド等の精油（エッセンシャルオイル）の種類を利用者に選択されることにより、芳香を愉しむことのみならず、部屋の消臭やアロマテラピーを実践することもできる。また、本芳香発生装置は、前記燃焼性液体４３にヒナギクやシトロネル等の殺虫用オイルを使用することもでき、虫除けの目的でも使用することができる。さらに、このヒナギク、シトロネル等の粒径が大きい精油を使用しても目詰まりがなく、確実な燃焼によるアロマ効果を発揮することができる。
【図面の簡単な説明】
【００４０】
【図１】本発明の第１の実施形態に係る芳香発生装置の概略構成図
【図２】本発明の芳香発生装置を装着したアロマディフューザーの全体断面図
【図３】本発明の芳香発生装置の長時間利用による目詰まり状態を示す説明図
【図４】本発明の芳香発生装置の固定例を示す概略図
【図５】本発明の第２の実施形態に係る芳香発生装置の概略構成図
【図６】本発明の第２の実施形態に係る芳香発生装置の補助加熱部と加熱部の接触固定の概略図
【図７】従来の芳香発生装置の概略構成図
【図８】従来の芳香発生装置の概略構成図
【符号の説明】
【００４１】
１  芳香発生部
１ａ  固定溝
１１  本体部
１１ａ  上面部
１２  加熱部
１２ａ  触媒金属
１２ｂ  上面部
１３  空洞
２  分離燃焼体
２ａ  固定溝
２１  芳香拡散部
２２  補助加熱部
２２ａ  触媒金属
２２ｂ  外周端部
３１  芯体
４１  容器
４２  開口部
４３  燃焼性液体
４３ａ  芳香成分
５  固定金具
５ａ  固定溝
６  針状金具
Ａ  閉鎖空間
Ｂ  連通孔
Ｃ１、Ｃ２、Ｄ〜Ｇ  気流方向
１０３  触媒燃焼バーナ
１０３ａ  下部
１０３ｂ  上部
１０６  キャビティ
１０７  外周ゾーン
１０８  開口
１２４  上部
１４０  中央ゾーン
２０５  燃焼器具用芯
２０７  触媒
２１３  触媒燃焼バーナー
２１３ｂ  上部
２１６  周縁領域
２１８  中央領域
【図１】
2010038371.tif 000003
【図２】
2010038371.tif 000004
【図３】
2010038371.tif 000005
【図４】
2010038371.tif 000006
【図５】
2010038371.tif 000007
【図６】
2010038371.tif 000008
【図７】
2010038371.tif 000009
【図８】
2010038371.tif 000010